(57)【要約】      （修正有）【課題】ツインリングノートブックのツインリングを傷めずに固定することのできる筆記具を提供する。【解決手段】複数枚の紙葉１１０と、紙葉１１０の一端である綴じ辺側に一定のピッチで設けられた複数個の綴じ穴１１１にそれぞれ挿入可能なＵ字状に折り曲げられた平行な２本の線材からなる円環状の複数個のツインリング１２１を備えた綴じ具１２０と、を有するツインリングノートブック１００に保持される筆記具１０であって、筆記具１０の側面には、外方に突出した複数個の係合突起２１が筆記具１０の長手方向に沿って一列に設けられており、係合突起２１をツインリングノートブック１００の側方からツインリング１２１に押し当てることで、係合突起２１が、隣り合うツインリング１２１の間に嵌入して係合する。【選択図】図２
2016137570.tif 000002
【特許請求の範囲】
【請求項１】
複数枚の紙葉と、該紙葉の一端である綴じ辺側に一定のピッチで設けられた複数個の綴じ穴にそれぞれ挿入可能なＵ字状に折り曲げられた平行な２本の線材からなる円環状の複数個のツインリングを備えた綴じ具と、を有するツインリングノートブックに保持される筆記具であって、
前記筆記具の側面には、外方に突出した複数個の係合突起が該筆記具の長手方向に沿って一列に設けられており、
前記係合突起をツインリングノートブックの側方からツインリングに押し当てることで、該係合突起が、隣り合うツインリングの間に嵌入して係合することを特徴とする筆記具。
【請求項２】
前記係合突起の根本部分に当たる基部の前記長手方向に沿った幅は、該係合突起の高さ方向の中間部分に当たる中間部の前記長手方向に沿った幅よりも狭く、
隣り合う係合突起の基部の間に形成される間隙の距離は、ツインリングの幅よりも長く、
隣り合う係合突起の中間部の間に形成される間隙の距離は、ツインリングの幅よりも短いことを特徴とする請求項１記載の筆記具。
【請求項３】
前記係合突起の上面が面取りされていることを特徴とする請求項１又は２記載の筆記具。
【請求項４】
前記係合突起が１／３インチピッチで設けられていることを特徴とする請求項１、２又は３記載の筆記具。
【発明の詳細な説明】
【技術分野】
【０００１】
本発明は、ノートブックへの固定に適した筆記具に関する。
【背景技術】
【０００２】
筆記具には、軸筒の側面部分に、主に胸ポケットに収納する際に筆記具の辺縁を固定する目的でクリップが設けられているものがある。また、このクリップでノートブックの表紙等を挟むことで、筆記具を一時的にノートブックに保持することもある。
ここで、ノートブックは、製本方法によって種々のものがあり、接着剤で固定する方法、糸で綴じる方法、又は紙葉に綴じ穴を設け、綴じ穴に綴じ具を挿入して綴じる方法によるもの等がある。このうち、綴じ具を挿入して綴じる方法としては、ノートブックに関するＪＩＳ  Ｓ５５０４によれば、螺旋状に成形した１本の線材である針金を綴じ穴に挿入して綴じる方法（「らせんとじ」）や、Ｕ字状に折り曲げて形成した平行に並んだ２本の針金からなる円環状のリングを各綴じ穴に挿入して綴じる方法（「ツインリングとじ」）等がある。
【０００３】
ツインリングとじのノートブック（以下ツインリングノートブックとする）は３６０度開閉できるため、コンパクトに使用することができ、移動中に使用することに適している。そのため、筆箱等を持たずに筆記具のクリップをツインリングノートブックの表紙等に挟み持ち運ぶことも多い。持ち運ぶ際は、かさばらないようにするため、ツインリングノートブックの表紙ではなく、円環状のツインリングの小口側からクリップを挿入して挟むことも多く、特許文献１に記載されるような、ツインリングに具合よく挟むことのできるクリップを備えた筆記具が開示されている。
【先行技術文献】
【特許文献】
【０００４】
【特許文献１】特開平１１−５３９２号公報
【発明の概要】
【発明が解決しようとする課題】
【０００５】
特許文献１の筆記具は、クリップを波状にし、複数の凹凸構造を施すことで、クリップでツインリングを挟んだ際に、凹凸部分がツインリングの間に挟まり、ツインリングノートブックに固定される。しかし、ツインリングは一般に針金で形成されているため、外部から力が加わると変形する。つまり、特許文献１の筆記具のクリップでツインリングの小口側からクリップを挿入して挟むと、凹凸部分がツインリングとの摩擦によってツインリングが傷みやすい。また、クリップを外す際には、ツインリングにその外す方向へ引き延ばされる力が加わるので、やはりツインリングを傷めることとなる。このようにツインリングが傷むと、ツインリングが変形し、ノートブックの開閉が困難になるとともに、ツインリングが破損すればノートブックの紙葉を綴じておくことも不可能となる。
そこで、本発明においては、ツインリングを傷めずにツインリングノートブックに固定することのできる筆記具を提供することを目的とする。
【課題を解決するための手段】
【０００６】
（第１の発明）
本発明における第１の発明は、複数枚の紙葉110と、該紙葉110の一端である綴じ辺側に一定のピッチで設けられた複数個の綴じ穴111にそれぞれ挿入可能なＵ字状に折り曲げられた平行な２本の線材からなる円環状の複数個のツインリング121を備えた綴じ具120と、を有するツインリングノートブック100に保持される筆記具10であって、
前記筆記具10の側面には、外方に突出した複数個の係合突起21が該筆記具10の長手方向に沿って一列に設けられており、
前記係合突起21をツインリングノートブック100の側方からツインリング121に押し当てることで、該係合突起21が、隣り合うツインリング121の間に嵌入して係合することを特徴とする筆記具10である。
【０００７】
ここで、「長手方向」とは、筆記具10の軸本体20の軸線方向をいう。
本第１の発明では、係合突起21をツインリングノートブック100の側方からツインリング121に押し当てるようにしてこの係合突起21を隣り合うツインリング121の間に嵌入させる際に、ツインリング121の２本の線材間の幅を縮めるような力が加わるが、その力はその２本の線材の両方からかかるものである。よって、係合突起21をツインリング121の間に陥入させる際にも、またそこから引き抜く際にも、ツインリング121に対してツインリングノートブック100の綴じ辺に沿った一方向にのみ引き延ばすような力がかかることはなく、ツインリング121は傷みにくい。そのため、係合突起121を引き抜いてもツインリング121の弾性は保たれているため元の幅に復元しやすくなっている。
【０００８】
（第２の発明）
本発明における第２の発明は、第１の発明に加え、前記係合突起21の根本部分に当たる基部22の前記長手方向の幅L1は、該係合突起21の高さ方向の中間部分に当たる中間部23の前記長手方向に沿った幅L2よりも狭く、
隣り合う係合突起21の基部22の間に形成される間隙の距離L3は、ツインリング121の幅よりも長く、
隣り合う係合突起21の中間部23の間に形成される間隙の距離L4は、ツインリング121の幅よりも短いことを特徴とする。
【０００９】
隣り合う係合突起21の中間部23の間に形成される間隙の距離L4は、ツインリング121の幅よりも短い。ここで、ツインリング121は２本の線材から構成されているため、２本の線材の両方から力を加えることでツインリング121が撓み、その幅は縮む。そのため、隣り合う係合突起21の間にツインリング121を嵌入させることができる。
また、隣り合う係合突起21の基部22の間に形成される間隙の距離L3は、ツインリング121の幅よりも長い。そのため、係合突起21の間にツインリング121を嵌入させると、ツインリング121の幅は中間部23によって一旦縮むが、元の幅に戻る。そのため、ツインリング121が隣り合う係合突起21の中間部23と中間部23とに係り合い、この中間部23が抜け止めの役割を果たすため、筆記具10をツインリングノートブック100に保持できる。外す場合にも、ツインリング121が撓むことで、その幅が縮むため、筆記具10を取り外すことができる。
また、隣り合う係合突起21の基部22の間に形成される間隙の距離L3は、ツインリング121の幅よりも長いため、筆記具10をツインリングノートブック100に保持する際に、ツインリング121に対して力が加わらないため、ツインリング121が傷みにくい。
【００１０】
（第３の発明）
本発明における第３の発明は、第１又は２の発明に加え、前記係合突起21の上面が面取りされていることを特徴とする。
「上面」とは、係合突起21を筆記具10に設けた際の設置面を底面としたとき、底面に対向する面をいう。
係合突起21の上面を面取りすることで、係合突起21をツインリング121の間に嵌入させやすい。また、係合突起21の上面を面取りすることで、係合突起21をツインリング121の間に嵌入させる際にツインリング121にかかる力を軽減できるため、ツインリングが傷みにくい。
【００１１】
（第４の発明）
本発明における第４の発明は、第１、２又は３の発明に加え、前記係合突起21が１／３インチピッチで設けられていることを特徴とする。
ツインリングノートブック100の紙葉110に設けられた綴じ穴111のピッチは一般的に１／３インチが主流なため、ツインリング121も１／３インチピッチで設けられている。そのため、係合突起21を１／３インチピッチで設けることで、本発明に係る筆記具10をツインリングノートブック100に保持できる。
【発明の効果】
【００１２】
本発明における筆記具は以上のように構成されているため、ツインリングノートブックに固定する際に、ツインリングを傷めることなく固定できる。
【図面の簡単な説明】
【００１３】
【図１】本実施の形態に係る筆記具の斜視図（Ａ）及び正面図（Ｂ）並びに図１（Ｂ）における領域Ｘの拡大図（Ｃ）である。
【図２】本実施の形態に係る筆記具をツインリングノートブックに保持した際の斜視図である。
【図３】変形例における筆記具の正面図である。
【図４】変形例における筆記具をツインリングノートブックに保持した際の斜視図（Ａ）と、図４（Ａ）における領域Ｙの拡大図（Ｂ）である。
【発明を実施するための形態】
【００１４】
本実施の形態における筆記具は、図２に示すように、ツインリングノートブック100の綴じ具120に係合可能なボールペン10である。
ここで、ツインリングノートブック100とは、ツインリングとじによって製本されたノートブックである。ツインリングとじとは、紙葉110の一端である綴じ辺側に複数個の綴じ穴111を一定のピッチで一列に設け、紙葉110の綴じ辺側を、各綴じ穴111にそれぞれ挿入可能なツインリング121を複数個有する綴じ具120で綴じる方法である。具体的に、紙葉110は次のようにして綴じられている。針金等の１本の線材を平面的に見てジグザグ状に折り曲げることで、Ｕ字状に折り曲げられた平行な２本の線材を１／３インチピッチで並列に複数個一体で形成し、紙葉110の綴じ穴111にＵ字状に折り曲げられた平行な２本の線材を挿入して円環状に湾曲さることで綴じられている。ここで、本発明においては、Ｕ字状に折り曲げられた平行な２本の線材であって、円環状に折り曲げられた部分をツインリング121とする。
【００１５】
本実施の形態における、筆記具は、図１（Ａ）に示すように、ノック式のボールペン10であって、軸本体20と、軸本体20に軸方向に進退可能に収容された図示しないリフィルと、軸本体20の後端に設けられたノック部30と、を有する。
軸本体20の後方部分の側面には、図１（Ｂ）に示すように、外方に突出した４個の係合突起21が１／３インチピッチで長手方向に沿って一列に設けられている。
この係合突起21の上面は面取りされており、係合突起21の側面のうち、ボールペン10の先端側とノック部30側の側面は突出するような山型の形状をしている。つまり、図１（Ｃ）に示すように、係合突起21の根本部分を基部22とし、係合突起21の高さ方向の中間部分を中間部23とすると、中間部23の長手方向に沿った幅L2が、基部22の長手方向に沿った幅L1よりも広くなっている。
【００１６】
基部22の長手方向に沿った幅L1はツインリングノートブック100に設けられた複数のツインリング121のうち隣り合うツインリング121の間に形成される間隙の距離と同程度か僅かに狭い。また、隣り合う係合突起21の基部22の間に形成される間隙の距離L3は、ツインリング121の幅よりも長く、隣り合う係合突起21の中間部23の間に形成される間隙の距離L4は、ツインリング121の幅よりも短く、ツインリング121を構成する線材の幅の２倍よりも長い。
具体的には、基部22の長手方向に沿った幅L1は３〜５ｍｍ、中間部23の長手方向に沿った幅L2は６〜７ｍｍ、係合突起21の設置面から中間部23までの高さL5は０．５〜１．５ｍｍである。
【００１７】
（まとめ）
ボールペン10の係合突起21は、以上のように構成されているため、隣り合う係合突起21の間に形成される間隙の距離のうち、最も狭い隣り合う係合突起21の中間部23の間に形成される間隙の距離L4が、ツインリング121を構成する線材の幅の２倍よりも長い。また、ツインリング121は２本の線材から構成されているため、２本の線材の両方から力が加わるとツインリング121が撓み、その幅は線材の幅の２倍にまで縮む。また、基部22の長手方向に沿った幅L1は、隣り合うツインリング121の間に形成される間隙の幅よりも狭い。そのため、係合突起21をツインリングノートブック100の側方からツインリング121に押し当てるようにすることで、図２に示すように、隣り合う係合突起21の間にツインリング121を嵌入させることができる。
【００１８】
また、隣り合う係合突起21の中間部23の間に形成される間隙の距離L4は、ツインリング121の幅よりも短く、隣り合う係合突起21の基部22の間に形成される間隙の距離L3は、ツインリング121の幅よりも長い。そのため、隣り合う係合突起21の間にツインリング121を嵌入させると、ツインリング121の幅は中間部23によって一旦縮むが、その後元の幅に戻るため、ツインリング121は隣り合う係合突起21の中間部23に係り合う。また、本実施の形態において、ツインリング121は１／３インチピッチで設けられており、係合突起21も１／３インチピッチで設けられている。つまり、係合突起21の間に形成される間隙も１／３インチピッチで設けられており、ツインリング121が設けられているピッチと等しいため、係合突起21の間に形成された全ての間隙にツインリング121を嵌入させることができる。
【００１９】
そして、ツインリング121は隣り合う係合突起21の中間部23と中間部23とに係り合い、この中間部23が抜け止めの役割を果たすため、ボールペン10をツインリングノートブック100に保持できる。外す場合にも、ツインリング121が撓むことで、ツインリング121の幅が縮むため、ボールペン10を取り外すことができる。
また、隣り合う係合突起21の基部22の間に形成される間隙の距離L3は、ツインリング121の幅よりも長いため、ボールペン10をツインリングノートブック100に保持した際に、ツインリング121に対して力が加わらないため、ツインリング121が傷みにくい。
【００２０】
ここで、係合突起21をツインリングノートブック100の側方からツインリング121に押し当てるようにしてこの係合突起21を隣り合うツインリング121の間に嵌入させる際に、ツインリング121の２本の線材間の幅を縮めるような力が加わるが、その力はその２本の線材の両方からかかるものである。よって、係合突起21をツインリング121の間に陥入させる際にも、またそこから引き抜く際にも、ツインリング121に対してツインリングノートブック100の綴じ辺に沿った一方向にのみ引き延ばすような力がかかることはなく、ツインリング121は傷みにくい。そのため、係合突起121を引き抜いてもツインリング121の弾性は保たれているため元の幅に復元しやすくなっている。
また、係合突起21の基部22の上面は面取りされているため、ツインリング121の間に形成される間隙に係合突起21を嵌入させやすい。
【００２１】
（変形例）
本実施の形態におけるボールペン10に、図３に示すように、一列に並んだ係合突起21の並びに、リフィルの先端が軸本体20から突出した状態を解除するセーフティーボタン24を設けてもよい。
より具体的には、ツインリング121が嵌入し係合する、係合突起21の間に形成される間隙から１／３インチの整数倍分離れた位置にセーフティーボタン24が設けられている。そのため、ボールペン10の係合突起21をツインリング121の間に嵌入させる際に、図４（Ｂ）に示すように、セーフティーボタン24はツインリング121に押圧されることとなる。
【００２２】
リフィルが軸本体20の先端から筆記可能に突出している場合に、セーフティーボタン24を軸本体中心方向に押圧すると、自動的にリフィルが軸本体20内に収納されることとなる。そのため、リフィルが軸本体20の先端から筆記可能に突出している状態で、ボールペン10の係合突起21をツインリング121の間に嵌入させると、セーフティーボタン24はツインリング121に押圧されるため、自動的にリフィルが軸本体20に収納されることとなる。なお、リフィルの収納機構については、従来のノック式ボールペンのリフィル繰出機構に準じているため省略する。
これによって、リフィルを軸本体20に収納し忘れたとしても、図４（Ａ）に示すように、持ち運びのためにボールペン10をツインリングノートブック100に保持した際に、自動的にリフィルが軸本体20に収納されることとなる。そのため、筆記先端が突出した状態による服や手が汚れてしまうことを防ぐことができる。
【００２３】
なお、本実施の形態において、係合突起21は４個設けられているとしたが、少なくとも２個以上設けられていればよい。
なお、係合突起21を軸本体20の側面に設けたとしたが、軸本体20の外方に向けてクリップを設け、クリップの外面に係合突起21を設けてもよい。
なお、本実施の形態においてはノック式のボールペン10としたが、ボールペンに限ったものではなく、シャープペンシルや、キャップ式の筆記具であってもよい。
【産業上の利用可能性】
【００２４】
本発明は、ツインリングノートブックへの固定に適した筆記具に利用できる。
【符号の説明】
【００２５】
10  筆記具（ボールペン）    20  軸本体                21  係合突起
22  基部                    23  中間部                24  セーフティーボタン
30  ノック部
100  ツインリングノートブック                      110  紙葉
111  綴じ穴              120  綴じ具              121  ツインリング
L1  基部の長手方向に沿った幅        
L2  中間部の長手方向に沿った幅
L3  隣り合う係合突起の基部の間に形成される間隙の距離
L4  隣り合う係合突起の中間部の間に形成される間隙の距離
L5  係合突起の設置面から中間部までの高さ
【図１】
2016137570.tif 000003
【図２】
2016137570.tif 000004
【図３】
2016137570.tif 000005
【図４】
2016137570.tif 000006